(57)【要約】【課題】  複数のガイド部材を移動させてジャム解除を行う操作において、操作の順序を誤ると、ガイド部材を破損する等の故障の原因になったり、ジャム紙の除去が困難になる場合があるという問題を解決する。【解決手段】  第１ガイド部材に第２ガイド部材の操作取っ手を覆うカバーを設け、第１のガイド部材を操作しなければ、第２ガイド部材を操作出来ないようにする。【選択図】        図３
2006008281.tif 000002
【特許請求の範囲】
【請求項１】
第１ガイド部材及び第２ガイド部材を有し、少なくとも前記第２ガイド部材に取っ手が設けられ、前記第１、第２ガイド部材が用紙をガイドする搬送路形成位置と搬送路を開放する退避位置とに移動可能な用紙搬送装置において、
前記第１ガイド部材はカバーを有し、
該カバーは、前記第１ガイド部材が前記搬送路形成位置にあるときは、前記取っ手を覆い、前記第１ガイド部材が前記退避位置に移動したときは、前記取っ手を露出させるように、前記第１ガイド部材に設けられたことを特徴とする用紙搬送装置。
【請求項２】
前記第１ガイド部材は、前記第１ガイド部材の移動操作のための取っ手を有することを特徴とする請求項１に記載の用紙搬送装置。
【請求項３】
前記第２ガイド部材は前記第１ガイド部材が移動する際の軌道内で移動することを特徴とする請求項１又は請求項２に記載の用紙搬送装置。
【請求項４】
請求項１〜３のいずれか１項に記載の用紙搬送装置を有することを特徴とする画像形成システム。
【発明の詳細な説明】
【技術分野】
【０００１】
本発明は画像形成装置や画像形成装置の付属装置として取り付けられる用紙後処理装置等において、画像が記録される記録用紙や記録用紙に付加される用紙を搬送する用紙搬送装置に関する。
【背景技術】
【０００２】
画像形成装置を中心として構成される画像形成システムにおいては、給紙部に収納されている用紙を画像形成部に給紙して画像を形成し、画像形成された用紙を排紙部に排出し堆積するのが一般的である。多機能画像形成システムでは、画像形成された用紙に対して、各種の後処理を施した後に用紙を排紙し堆積する。
【０００３】
ところで、画像形成システムでは、画像が記録される記録用紙や記録用紙に付加される用紙として、様々なものが用いられるために、ジャムの発生を完全に無くすることが困難であり、ジャムが発生した場合に、ジャムを解除するための機構が設けられているのが一般的である。
【０００４】
特許文献１では、複数のガイド板で用紙の搬送路を形成し、該複数のガイド板を移動させて、ジャム紙の除去を可能とするために搬送路を開放するようにした用紙搬送装置が開示されている。
【特許文献１】特開平９−２２７００４号公報
【発明の開示】
【発明が解決しようとする課題】
【０００５】
複数のガイド部材を移動させることにより搬送路を開放する用紙搬送装置では、ガイド部材の操作順序が定まっている場合が多く、該順序に反した操作を行った場合に、装置が故障したり、詰まった用紙の除去が困難になる場合がある。
【０００６】
たとえば、２個のガイド部材が移動する軌道が重なった場合に、後に移動させるべきガイド部材を先に移動させると、ガイド部材同士が衝突して、ガイド部材が損傷するなど故障の原因となる場合がある。また、下流側で詰まった用紙を除去しないで、上流側で詰まった用紙を除去しようとした場合、下流側の用紙が邪魔して上流側の用紙の除去が困難になる場合がある。
【０００７】
ジャム解除操作を誤り無くできるようにするために、従来では、操作パネルにジャム解除の順序を表示したり、ジャム解除操作用の取っ手に番号を付けることが行われてきた。
【０００８】
しかしながら、表示による操作のガイドでは、表示通りの操作が例外なく行われることが保証されないために、ジャム解除操作が原因で故障が発生する等の不具合があった。
【０００９】
本発明は、このような不具合を解消し、且つ、操作性のよい用紙搬送装置及び画像形成システムを提供することを目的とする。
【課題を解決するための手段】
【００１０】
前記の目的は下記の発明により達成される。
１．
第１ガイド部材及び第２ガイド部材を有し、少なくとも前記第２ガイド部材に取っ手が設けられ、前記第１、第２ガイド部材が用紙をガイドする搬送路形成位置と搬送路を開放する退避位置とに移動可能な用紙搬送装置において、
前記第１ガイド部材はカバーを有し、
該カバーは、前記第１ガイド部材が前記搬送路形成位置にあるときは、前記取っ手を覆い、前記第１ガイド部材が前記退避位置に移動したときは、前記取っ手を露出させるように、前記第１ガイド部材に設けられたことを特徴とする用紙搬送装置。
２．
前記第１ガイド部材は、前記第１ガイド部材の移動操作のための取っ手を有することを特徴とする前記１に記載の用紙搬送装置。
３．
前記第２ガイド部材は前記第１ガイド部材が移動する際の軌道内で移動することを特徴とする前記１又は前記２に記載の用紙搬送装置。
４．
前記１〜３のいずれか１項に記載の用紙搬送装置を有することを特徴とする画像形成システム。
【発明の効果】
【００１１】
請求項１〜３のいずれかの発明により、後に移動させるべきガイド部材を先に移動させるような誤操作を完全に防止できるので、誤操作による装置の故障等が防止される。しかも、ジャム解除の操作性がよく使いやすい用紙搬送装置が実現される。
【００１２】
請求項４の発明により、ジャム解除の操作性がよく、使いやすい画像形成システムが実現される。
【発明を実施するための最良の形態】
【００１３】
図１は本発明の実施の形態に係る画像形成システムの全体図であり、該画像形成システムは、画像形成装置Ａ、自動原稿送り装置ＤＦ、後処理装置Ｂ及び大容量給紙装置ＬＴからなる。
【００１４】
図示の画像形成装置Ａは、画像読取部（画像入力装置）１、画像処理部２、画像書込部３、画像形成部４、給紙カセット５Ａ，５Ｂ，５Ｃ、手差し給紙トレイ５Ｄ、第１給紙部６Ａ，６Ｂ，６Ｃ，６Ｄ，６Ｅ、第２給紙部６Ｆ、定着装置７、排紙部８、自動両面コピー給紙部（ＡＤＵ）９を備えている。
【００１５】
画像形成装置Ａの上部には、自動原稿送り装置ＤＦが搭載されている。画像形成装置Ａの図示の左側面の排紙部８側には、後処理装置Ｂが、右側面の手差し給紙トレイＤ側には大容量給紙装置ＬＴがそれぞれ連結されている。
【００１６】
自動原稿送り装置ＤＦの原稿台上に載置された原稿は搬送されて画像読取部１の光学系により原稿の片面又は両面の画像が読みとられ、ＣＣＤイメージセンサ１Ａに読み込まれる。
【００１７】
ＣＣＤイメージセンサ１Ａにより光電変換されたアナログ信号は、画像処理部２において、アナログ処理、Ａ／Ｄ変換、シェーディング補正、画像圧縮処理等を行った後、画像書込部３に信号を送る。
【００１８】
画像書込部３においては、半導体レーザからの出力光が画像形成部４の感光体ドラム４Ａに照射され、潜像を形成する。画像形成部４においては、帯電、露光、現像、転写、分離、クリーニング等の処理が行われる。給紙カセット５Ａ〜５Ｃ、手差し給紙トレイ５Ｄ、大容量給紙装置ＬＴから第１給紙部６Ａ〜６Ｅの各々により給送された用紙Ｓには転写手段４Ｂにより画像が転写される。画像を担持した用紙Ｓは、定着装置７により定着処理され、排紙部８から後処理装置Ｂに送り込まれる。或いは搬送路切換板８Ａにより自動両面コピー給紙部９に送り込まれた片面画像処理済みの用紙Ｓは再び画像形成部４において、両面画像処理後、排紙部８から排出される。
【００１９】
後処理装置Ｂは、排紙部２０、給紙部３０、穿孔処理部４０及び折り処理部５０を有する。
【００２０】
排紙部２０は、固定排紙トレイ２１及び昇降排紙トレイ２２を有し、少数枚の画像形成においては、固定排紙トレイ２１に用紙Ｓが排紙され、大量の画像形成においては、昇降排紙トレイ２２に用紙Ｓが排紙される。
【００２１】
給紙部３０は、画像形成装置Ａから排紙された画像形成された用紙Ｓに対して、表紙やインサートとして付加される用紙Ｓを給紙する給紙部であり、２個の給紙トレイ３１、３２を有する。
【００２２】
４０は用紙Ｓに対して穿孔処理を行う穿孔処理部である。
【００２３】
５０は折り処理部であり、３個の折り処理装置５１、５２、５３を有し、これら３個の折り処理装置５１〜５３の使い分けにより、各種の折り畳処理が行われる。
【００２４】
１００は、画像形成装置Ａから排紙された用紙Ｓ及び給紙部３０から給紙された用紙Ｓを排紙部２０、穿孔処理部４０又は折り処理５０に搬送する用紙搬送装置である。
【００２５】
図２は本発明の実施の形態に係る用紙搬送装置の正面断面図である。
【００２６】
用紙搬送装置１００には、搬送路Ｈ１〜Ｈ４が設けられる。Ｈ１は画像形成装置Ａから排出された用紙Ｓが走行する搬送路、Ｈ２は図１における給紙部３０からの用紙Ｓが走行する搬送路、Ｈ３は穿孔処理部４０及び折り処理部５０への搬送路、Ｈ４は排紙部２０への搬送である。搬送路Ｈ１は固定のガイド板１１６の上流側部１１６Ａと可動のガイド板１１９により形成され、搬送路Ｈ２は、上部が固定のガイド板１３１、１３２により形成され、下部が可動な第１ガイド部材としてのガイド板１０６の上流側部１０６Ａと可動な第２ガイド部材としてのガイド部板１０４とにより形成され、搬送路Ｈ３は固定のガイド板１１６の下流側部１１６Ｂと固定のガイド板１１７の上流側部１１７Ａとにより形成され、搬送路Ｈ４は可動のガイド板１０６の下流側部１０６Ｂと固定のガイド板１１７とにより形成される。
【００２７】
可動のガイド板１０６は図示のように、上流側部１０６Ａと下流側部１０６Ｂとがほぼ直角になるように湾曲しておりほぼ水平な搬送路Ｈ１、搬送路Ｈ４に対して、搬送路Ｈ２、Ｈ３はほぼ垂直に形成される。
【００２８】
１６１、１６２は搬送路Ｈ２中の用紙Ｓを搬送するローラであり、１６３、１６４は搬送路Ｈ４中の用紙Ｓを搬送するローラである。１６１、１６３は駆動ローラ、１６２、１６４は従動ローラである。画像が形成され画像形成装置Ａから排出された用紙Ｓは搬送路Ｈ１から導入され、搬送路Ｈ４を搬送されて排紙部２０に排出されるか、又は搬送路Ｈ３を搬送されて穿孔処理部４０や折り処理部５０に搬送される。給紙部３０から給紙された用紙Ｓは搬送路Ｈ２を搬送され、搬送路Ｈ４又は搬送路Ｈ３へと搬送される。搬送路Ｈ３又は搬送路Ｈ４への搬送の切換は切換ゲート１２０により行われる。
【００２９】
ガイド板１０４は軸１０９に回転可能に支持されており、搬送路幅方向の両端部において、側板１０５が設けられる。ガイド板１０６は軸１１０に回転可能に支持されており、搬送路幅方向の両側において側板１０７が設けられる。
【００３０】
図２は搬送路Ｈ１〜Ｈ４が用紙搬送状態に設定されている状態を示す。案走路Ｈ１〜Ｈ４において用紙Ｓのジャムが発生したときは、側板１０５に設けられた取っ手１１２を操作することにより、ガイド板１０４を図５の矢印Ｒ２で示すように時計方向に回転させることにより、搬送路Ｈ１が開放され、また、ガイド板１０６を図５の矢印Ｒ１で示すように反時計方向に回転させることにより、搬送路Ｈ２の下部及び搬送路Ｈ４が開放される。
【００３１】
ガイド板１０６、側板１０７及び従動ローラ６２、６４は一体なユニットに形成され、図４に示すように軸１１０を中心に回転可能である。また、ガイド板１０４及び側板１０５は一体なユニットに形成され、図５に示すように軸１０９を中心に回転可能である。
【００３２】
次に、ガイド板１０４とガイド板１０６の操作順序を規制する機構について図３を参照して説明する。図３は取っ手１１２と１１３の関係を示す図であり、図３（ａ）は、ガイド板１０４、１０６が搬送路形成位置に設定されている状態において、取っ手１１２。１１３の部分を上方（図２における上方）から見た図、図３（ｂ）は同様にガイド板１０４、１０６が搬送路形成位置に設定された状態における取っ手１１２、１１３の部分の正面図、すなわち、図２における紙面手前側から見た図であり、図３（ｃ）はガイド板１０６を開放する途中における取っ手１１２、１１３の部分の正面図である。
【００３３】
取っ手１１２は取り付け板１１１により手前側の側板１０５の前面に固定され、取っ手１１３は取り付け板１１５により手前側の側板１０７の前面に固定される。また、手前側の側板１０７の前面には、カバー１１４が固定される。カバー１１４は図３（ｂ）に示すように、ガイド板１０６が搬送路を形成する位置にあるときには、ガイド板１０４の開閉操作のための取っ手１１２を覆っている。また、カバー１１４の下部は取っ手１１２が出入出来る開口となっている。すなわち、カバー１１４の上板部１１４ａが取っ手１１２の上方を覆い、カバー１１４の側板部１１４ｂが取っ手１１２の前方を覆っている。従って、オペレータはガイド板１０６が搬送路位置に設定されている図２、図３（ａ）及び図３（ｂ）の状態では、取っ手１１２を操作することはできない。
【００３４】
図３（ｃ）のように、取っ手１１３を操作して、ガイド板１０６を上方に移動させた状態では、カバー１１４が上方に移動する結果、取っ手１１２が露出し、オペレータは取っ手１１２を操作して、ガイド板１０４を開放することが可能となる。
【００３５】
図４は取っ手１１３を操作して、ガイド板１０６を開放し、ガイド板１０４が搬送路形成位置に設定された状態を示す。図４の状態では、搬送路Ｈ２に滞留している用紙Ｓは除去することができるが、搬送路Ｈ１中に滞留している用紙Ｓを除去することは困難な場合がある。すなわち、用紙Ｓの先端部は図示のように搬送路Ｈ３に存在しているが、後端部が搬送路Ｈ１中にあるために、無理に用紙Ｓを引き出した場合、用紙Ｓが切れて装置内に残留する場合がある。
【００３６】
ガイド板１０４を図５のように移動させて、搬送路Ｈ１を開放することにより、搬送路Ｈ１中の用紙Ｓも簡単に除去することが可能となる。
【００３７】
従来の用紙搬送装置のように、図２の状態で、取っ手１１２を操作できる構成では、オペレータが誤って取っ手１１２を先に操作した場合、ガイド板１０４はガイド板１０６の移動軌道内で移動するために、ガイド板１０６も一緒に移動してしまい、両ガイド板１０４、１０６が干渉して破損する場合があるが、本発明により、ガイド板１０４がガイド板１０６の移動軌道内を移動する構成でも、取っ手１１２は取っ手１１３を操作した後でなければ操作できないので、前記のような不具合が完全に解消される。
【図面の簡単な説明】
【００３８】
【図１】本発明の実施の形態に係る画像形成システムの全体図である。
【図２】本発明の実施の形態に係る用紙搬送装置の正面断面図である。
【図３】取っ手１１２と１１３の関係を示す図である。
【図４】本発明の実施の形態に係る用紙搬送装置を示し、ガイド板１０４を搬送路形成位置に設定し、部材１０６を退避位置に移動させた状態を示す図である。
【図５】本発明の実施の形態に用紙搬送装置を示し、ガイド板１０４、１０６をともに退避位置に移動させた状態を示す図である。
【符号の説明】
【００３９】
１００  用紙搬送装置
１０４、１０６  ガイド板
１１２、１１３  取っ手
１４  カバー
Ｈ１〜Ｈ４  搬送路
Ａ  画像形成装置
Ｂ  後処理装置
ＬＴ  大容量給紙装置
【図１】
2006008281.tif 000003
【図２】
2006008281.tif 000004
【図３】
2006008281.tif 000005
【図４】
2006008281.tif 000006
【図５】
2006008281.tif 000007